(57)【特許請求の範囲】
【請求項１】
商品である１以上の内部商品を販売する自動販売機と、
１以上の商品を少なくとも保管する庫であり、ユーザが自由に商品の取り出しができる庫である付属商品庫と、
前記内部商品の販売に対する決済に関する内部決済処理を行い、かつ前記付属商品庫が保管する商品である外部商品の販売に対する決済に関する外部決済処理を行う決済部とを具備し、
前記決済部は、前記自動販売機に備えられ、
前記外部決済処理は、前記自動販売機の指示受付部が受け付けた指示に対する外部商品の販売に対する決済の処理であり、前記自動販売機に投入された現金を用いた決済の処理、電子マネーカードを用いた決済の処理、クレジットカードを用いた決済の処理、スマートフォンのアプリ決済の処理、クレカによる決済の処理、デビットカードによる決済の処理、または二次元コードを用いた決済の処理である第一の外部決済処理であり、
前記内部決済処理と前記外部決済処理とは同一の処理を含み、
前記内部決済処理は、
前記自動販売機の指示受付部が受け付けた指示に対する内部商品の販売に対する決済の処理であり、前記自動販売機に投入された現金を用いた決済の処理、電子マネーカードを用いた決済の処理、クレジットカードを用いた決済の処理、スマートフォンのアプリ決済の処理、クレカによる決済の処理、デビットカードによる決済の処理、または二次元コードを用いた決済の処理である、商品庫。
【請求項２】
商品である１以上の内部商品を販売する自動販売機と、
１以上の商品を少なくとも保管する庫であり、ユーザが自由に商品の取り出しができる庫である付属商品庫と、
前記内部商品の販売に対する決済に関する内部決済処理を行う決済部とを具備し、
前記決済部は、前記自動販売機に備えられ、
前記自動販売機には、前記付属商品庫が保管する商品である外部商品の販売に対する決済に関する外部決済処理を行う決済端末が設置され、
前記内部決済処理は、
前記自動販売機の指示受付部が受け付けた指示に対する内部商品の販売に対する決済の処理であり、前記自動販売機に投入された現金を用いた決済の処理、電子マネーカードを用いた決済の処理、クレジットカードを用いた決済の処理、スマートフォンのアプリ決済の処理、クレカによる決済の処理、デビットカードによる決済の処理、または二次元コードを用いた決済の処理であり、
前記決済端末は、
前記外部商品を識別する外部商品識別子を受け付ける商品識別子受付手段と、
前記商品識別子受付手段が受け付けた外部商品識別子に対応する外部商品の販売に対する決済に関する外部決済処理を行う決済処理手段とを具備する、商品庫。
【請求項３】
請求項１に記載の商品庫を用いた内部商品と外部商品との販売方法であって、
前記商品庫が有する自動販売機が、前記自動販売機に配置されている前記内部商品に対応する１以上の指示対象およびユーザが自由に商品の取り出しができる庫である付属商品庫に配置されている前記外部商品に対応する１以上の指示対象に対する指示を受け付ける指示受付ステップと、
前記指示受付ステップで受け付けられた指示対象に対する前記内部商品の販売に対する内部決済処理を行う内部決済ステップと、
前記自動販売機が、前記指示受付ステップで受け付けられた指示対象に対する前記外部商品の販売に対する外部決済処理を行う外部決済ステップとを具備し、
前記外部決済処理は、
前記自動販売機が受け付けた指示対象に対する外部商品の販売に対する決済の処理であり、前記自動販売機に投入された現金を用いた決済の処理、電子マネーカードを用いた決済の処理、クレジットカードを用いた決済の処理、スマートフォンのアプリ決済の処理、クレカによる決済の処理、デビットカードによる決済の処理、または二次元コードを用いた決済の処理である第一の外部決済処理であり、
前記内部決済処理と前記外部決済処理とは同一の処理を含み、
前記内部決済処理は、
前記自動販売機の指示受付部が受け付けた指示に対する内部商品の販売に対する決済の処理であり、前記自動販売機に投入された現金を用いた決済の処理、電子マネーカードを用いた決済の処理、クレジットカードを用いた決済の処理、スマートフォンのアプリ決済の処理、クレカによる決済の処理、デビットカードによる決済の処理、または二次元コードを用いた決済の処理である、販売方法。
【請求項４】
請求項２に記載の商品庫を用いた内部商品と外部商品との販売方法であって、
前記商品庫が有する自動販売機が、前記自動販売機に配置されている前記内部商品に対応する１以上の指示対象に対する指示を受け付ける指示受付ステップと、
前記指示受付ステップで受け付けられた指示に対する内部商品の販売に対する内部決済処理を行う内部決済ステップと、
前記自動販売機に設置された決済端末が、前記外部商品を識別する外部商品識別子を受け付ける商品識別子受付ステップと、
前記決済端末が、前記商品識別子受付ステップで受け付けられた外部商品識別子に対応する外部商品の販売に対する外部決済処理を行う外部決済ステップとを具備し、
前記内部決済処理は、
前記自動販売機の指示受付部が受け付けた指示に対する内部商品の販売に対する決済の処理であり、前記自動販売機に投入された現金を用いた決済の処理、電子マネーカードを用いた決済の処理、クレジットカードを用いた決済の処理、スマートフォンのアプリ決済の処理、クレカによる決済の処理、デビットカードによる決済の処理、または二次元コードを用いた決済の処理である、販売方法。
【発明の詳細な説明】
【技術分野】
【０００１】
本発明は、自動販売機と付属商品庫とを具備する商品庫等に関するものである。
【背景技術】
【０００２】
従来、無人で商品を販売できる自動販売機があった（例えば、非特許文献１参照）。また、種々の自動販売機が存在した（例えば、特許文献１、特許文献２参照）。
【先行技術文献】
【特許文献】
【０００３】
【特許文献１】特開２００４−３７０１９号公報
【特許文献２】特開２００５−２１５８５１号公報
【非特許文献】
【０００４】
【非特許文献１】“SUNTORY”、［online］、［令和１年１０月２６日検索］、インターネット［URL：https://www.suntoryfoods.co.jp/jihanki/kaobure.html］
【発明の概要】
【発明が解決しようとする課題】
【０００５】
しかしながら、従来技術においては、自動販売機の中の商品に加えて、当該自動販売機とは異なる商品庫である付属商品庫の中の商品をも、無人で販売できる商品庫が存在しなかった。
【課題を解決するための手段】
【０００６】
本第一の発明の商品庫は、商品である１以上の内部商品を販売する自動販売機と、１以上の商品を少なくとも保管する付属商品庫と、内部商品の販売に対する決済に関する内部決済処理を行い、かつ付属商品庫が保管する商品の販売に対する決済に関する外部決済処理を行う決済部とを具備する商品庫である。
【０００７】
かかる構成により、自動販売機の中の商品に加えて、当該自動販売機とは異なる商品庫である付属商品庫の中の商品を無人で販売できる商品庫を提供できる。
【０００８】
また、本第二の発明の商品庫は、第一の発明に対して、決済部は、内部決済処理を行う内部決済部と、外部決済処理を行う外部決済部とを具備し、内部決済処理と外部決済処理とは同一の処理を含む商品庫である。
【０００９】
かかる構成により、自動販売機の中の商品と付属商品庫の中の商品の両方を同様の決済処理により決済ができる。
【００１０】
また、本第三の発明の商品庫は、第二の発明に対して、自動販売機は、内部商品に対応する１以上の指示対象と、外部商品に対応する１以上の指示対象とを具備し、指示対象に対する指示を受け付ける指示受付部をさらに具備し、内部決済部は、指示受付部が受け付けた指示対象に対する内部商品の販売に対する内部決済処理を行い、外部決済部は、指示受付部が受け付けた指示対象に対する外部商品の販売に対する外部決済処理を行う商品庫である。
【００１１】
かかる構成により、ユーザは、自動販売機の中の商品と付属商品庫の中の商品の両方を、自動販売機の指示対象に対する指示により購入できる。
【００１２】
また、本第四の発明の商品庫は、第一の発明に対して、決済部は、内部決済処理を行う内部決済部と、外部決済処理を行う外部決済部とを具備し、内部決済処理と外部決済処理とは異なる処理である商品庫である。
【００１３】
かかる構成により、自動販売機の中の商品と付属商品庫の中の商品とを、各々異なる決済処理により決済ができる。
【００１４】
また、本第五の発明の商品庫は、第四の発明に対して、外部決済部は、外部商品を識別する外部商品識別子を受け付ける外部商品識別子受付手段と、外部商品識別子受付手段が受け付けた外部商品識別子に対応する外部商品の決済のための決済処理を行う外部決済処理手段とを具備する決済端末である。
【００１５】
かかる構成により、外部商品に対する決済処理を行う決済端末を提供できる。
【００１６】
また、本第六の発明の決済端末は、決済処理のために使用され、商品を保管する商品庫に設置されている決済端末であり、商品庫が具備する自動販売機の中に保管されている内部商品以外の商品である外部商品を識別する外部商品識別子を受け付ける商品識別子受付手段と、外部商品識別子受付手段が受け付けた外部商品識別子に対応する外部商品の決済のための決済処理を行う決済処理手段とを具備する決済端末である。
【００１７】
かかる構成により、外部商品に対する決済処理を行う決済端末を提供できる。
【００１８】
また、本第七の発明の決済端末は、第六の発明に対して、商品識別子受付手段は、外部商品識別子を含む外部商品情報を受け付け、決済処理手段は、外部商品情報を送信する決済端末である。
【００１９】
かかる構成により、外部商品の販売に関する情報を送信できる。
【００２０】
また、本第八の発明の決済端末は、第七の発明に対して、商品識別子受付手段は、内部商品を識別する内部商品識別子を含む内部商品情報をも受け付け、決済処理手段は、部商品識別子受付手段が受け付けた内部商品情報をも送信し、外部商品情報の送信先と内部商品情報の送信先とが異なる決済端末である。
【００２１】
かかる構成により、販売された商品が内部商品である場合と外部商品である場合とで、異なる送信先に販売に関する情報を通知できる。
【００２２】
また、本第九の発明の決済端末は、第七または第八の発明に対して、外部商品識別子または内部商品識別子に対応する２以上の送信先を特定する送信先識別子を格納する送信先識別子格納部をさらに具備し、決済処理手段は、販売された商品の外部商品識別子または内部商品識別子に対応する送信先識別子を取得し、送信先識別子により特定される送信先に、外部商品情報または内部商品情報を送信する決済端末である。
【００２３】
かかる構成により、販売された商品に応じて異なる送信先に販売に関する情報を通知できる。
【００２４】
また、本第十の発明の付属商品庫は、第一から第五いずれか１つの発明に対して、商品庫を構成する付属商品庫である。
【００２５】
かかる構成により、外部商品を配置でき、自動販売機と対に使用される付属商品庫を提供できる。
【発明の効果】
【００２６】
本発明による商品庫によれば、自動販売機の中の商品に加えて、当該自動販売機とは異なる商品庫である付属商品庫の中の商品を無人で販売できる商品庫を提供できる。
【図面の簡単な説明】
【００２７】
【図１】実施の形態１における商品販売システムＡの概念図
【図２】同商品販売システムＡのブロック図
【図３】同商品庫の例を示す図
【図４】同商品販売システムＡの具体的な動作例について説明するための図
【図５】同自動販売機１１の動作例について説明するフローチャート
【図６】同商品販売システムＡの具体的な動作例について説明するための図
【図７】実施の形態２における商品販売システムＢの概念図
【図８】同商品販売システムＢのブロック図
【図９】同決済端末３３の動作例について説明するフローチャート
【図１０】同商品庫の例を示す図
【図１１】同商品庫の例を示す図
【図１２】同商品販売システムＢの具体的な動作例について説明するための図
【図１３】上記実施の形態におけるコンピュータシステムの概観図
【図１４】同コンピュータシステムのブロック図
【発明を実施するための形態】
【００２８】
以下、商品庫等の実施形態について図面を参照して説明する。なお、実施の形態において同じ符号を付した構成要素は同様の動作を行うので、再度の説明を省略する場合がある。
【００２９】
（実施の形態１）
本実施の形態において、自動販売機と付属商品庫と決済部とを具備する商品庫を含む商品販売システムについて説明する。なお、決済部は、自動販売機が具備しても良い。
【００３０】
また、本実施の形態において、自動販売機内の内部商品と付属商品庫の外部商品とに対する決済処理を行う決済部を具備する商品庫を含む商品販売システムについて説明する。
【００３１】
また、本実施の形態において、自動販売機の中の商品である内部商品の決済処理と自動販売機の外の商品である外部商品の決済処理とは同一の処理を含み、当該両方の処理を行う商品庫を含む商品販売システムについて説明する。
【００３２】
さらに、本実施の形態において、内部商品の決済処理と外部商品の決済処理は、共に自動販売機のボタンの指示により進められ、当該処理を行える商品庫を含む商品販売システムについて説明する。
【００３３】
図１は、本実施の形態における商品販売システムＡの概念図である。商品販売システムＡは、１または２以上の商品庫１、およびサーバ装置２を備える。商品庫１は、自動販売機１１および付属商品庫１２を備える。なお、サーバ装置２は存在せずに、商品庫１が機能しても良いことは言うまでもない。
【００３４】
自動販売機１１は、商品を無人で販売可能な機器である。商品は、例えば、飲料、食品等であるが、問わない。自動販売機１１の詳細については後述する。自動販売機１１は、無人で商品を販売できれば良く、広く解する。
【００３５】
付属商品庫１２は、１以上の外部商品を保管する庫である。外部商品は、付属商品庫１２が保管する商品である。外部商品は、通常、１以上の内部商品とは異なる商品である。ただし、外部商品は、内部商品と同じ商品でも良い。例えば、内部商品が自動販売機１１で販売される飲料（例えば、ミネラルウォーター）で、外部商品が常温で販売される同じ飲料（例えば、ミネラルウォーター）である。内部商品は、自動販売機１１の中に配置されている商品である。付属商品庫１２は、ユーザが自由に商品の取り出しができる庫であることは好適である。付属商品庫１２は、ユーザが自由に商品を手に取ることができる庫であることは好適である。付属商品庫１２は、壁に囲まれていない庫であることは好適である。付属商品庫１２は、例えば、いわゆるラックである。ただし、付属商品庫１２は、壁に囲まれている閉空間に外部商品が配置されている庫でも良い。なお、付属商品庫１２の閉空間に外部商品が配置されている場合、当該閉空間を構成するドアは鍵がかかっていないことは好適である。また、壁の材質は、透明なガラスや樹脂等が好適であるが、不透明な材質でも良い。また、付属商品庫１２は、温度調節機能を有さないことは好適である。ただし、付属商品庫１２は、温度調節機能を有しても良い。なお、付属商品庫１２に、自動販売機１１の中の内部商品と同じ商品が配置されていても良い。ただし、付属商品庫１２には、内部商品とは異なる外部商品が一つは配置されていることは好適である。
【００３６】
付属商品庫１２の設置場所は問わない。ただし、付属商品庫１２と自動販売機１１との間には、他の物体が存在しないことは好適である。また、付属商品庫１２は、自動販売機１１に隣接する位置に配置されていることは好適である。
【００３７】
付属商品庫１２のサイズは問わない。ただし、付属商品庫１２の奥行きは、自動販売機１１の奥行きと同じまたは略同じであることは好適である。付属商品庫１２の奥行きは、自動販売機１１の奥行きより小さい方が大きいより好適である。付属商品庫１２の奥行きは、例えば、５３０ｍｍ程度である。付属商品庫１２の幅は問わない。付属商品庫１２の幅は、例えば、５３０ｍｍ程度、または５３０ｍｍ程度より小さいことは好適である。付属商品庫１２の高さは、自動販売機１１の高さと同等または自動販売機１１の高さよりも低いことは好適である。付属商品庫１２の高さは、例えば、１０００ｍｍ以上１８００ｍｍ以下である。
【００３８】
付属商品庫１２は、１または２以上の棚を有することは好適である。棚には、外部商品を配置可能である。また、付属商品庫１２の下部領域に、他物体が配置可能な空間を有しても良い。他物体は、例えば、ドリンクサーバである（図３参照）。なお、ドリンクサーバの例は、図３の１４である。また、他物体は、例えば、リサイクルボックスである。なお、他物体は、付属商品庫１２の上の空間に配置されても良い。
【００３９】
自動販売機１１は、公知の自動販売機と同様の機能を有することは好適である。自動販売機１１は、温度調節機能を有することは好適である。温度調節機能は、例えば、冷蔵機能、冷凍機能、保温機能等のうちの１以上の機能である。
【００４０】
自動販売機１１内の内部商品は、例えば、飲料であり、付属商品庫１２内の外部商品は、例えば、食品（例えば、インスタント麺、スナック、弁当等）、食品以外の物品（例えば、フィギュア、文房具等）であることは好適である。また、自動販売機１１は、いわゆるディスペンサー、カップ売りの販売機等でも良く、その種類は問わない。
【００４１】
図２は、本実施の形態における商品販売システムＡのブロック図である。商品販売システムＡを構成する商品庫１は、自動販売機１１および付属商品庫１２を備える。
【００４２】
自動販売機１１は、２以上の指示対象１１１、指示受付部１１２、および決済部１１３を備える。決済部１１３は、内部決済部１１３１、および外部決済部１１３２を備える。
【００４３】
サーバ装置２は、サーバ格納部２１、サーバ受信部２２、サーバ処理部２３、およびサーバ送信部２４を備える。
【００４４】
自動販売機１１は、１以上の内部商品を販売する機能を有する。内部商品は、自動販売機１１の庫内に配置される商品である。
【００４５】
指示対象１１１は、１または２以上の商品に対応する対象である。指示対象１１１は、購入される商品に対応するオブジェクトである、とも言える。指示対象１１１は、例えば、自動販売機１１に表出している実体ボタン、自動販売機１１に表出している画面内のボタンである。実体ボタンは、例えば、図１の１１１である。ここでの自動販売機１１は、内部商品に対応する１以上の指示対象１１１a、外部商品に対応する１以上の指示対象１１１bを有する。
【００４６】
指示対象１１１は、商品識別子、金額（価格）に対応付いている。なお、指示対象１１１に対応付く商品識別子、金額は、通常、自動販売機１１の図示しない格納部に格納されている。なお、商品識別子は、例えば、ＩＤ、名前等である。商品識別子は、自動販売機１１のボタンの識別子でも良い。
【００４７】
内部商品に対応する指示対象１１１を、適宜、内部指示対象と言う。また、外部商品に対応する指示対象１１１を、適宜、外部指示対象と言う。外部指示対象は、２以上の外部商品に対応していても良い。ただし、かかる場合、外部指示対象は、同じ金額の２以上の外部商品に対応している。外部指示対象は、１または２以上の外部商品の商品識別子と金額の組に対応付いている。
【００４８】
商品を購入するユーザにより、いずれかの内部指示対象１１１が指示（例えば、ボタンを押下）された場合、当該内部指示対象１１１（ａ）に対応する内部商品が、自動販売機１１の図示しない庫内から排出され、自動販売機１１の商品取出口１１４（図１参照）から取り出し可能となる。なお、内部商品の購入のためには、ユーザが自動販売機１１に現金を投入する、電子マネーカードを用いた支払いを行う等の行為が行われていることは言うまでもない。また、内部商品の購入の処理は、スマートフォン等のアプリ決済、クレカ、デビットカード、ＱＲコード（登録商標）を用いた決済、自席で決済してから、自動販売機１１の前に行きタッチすると購入できる構成等により実現されても良い。また、かかる自動販売機１１の処理は公知技術であるので、詳細な説明を省略する。
【００４９】
また、商品を購入するユーザにより、付属商品庫１２に配置された外部商品が付属商品庫１２から取り出され、当該外部商品に対応する外部指示対象１１１（ｂ）が指示された場合、当該外部商品の正当な購入が完了する。なお、かかる外部商品の購入の際にも、ユーザが自動販売機１１に現金を投入する、電子マネーカードやクレジットカード等のカードを用いた支払いを行う等の行為が行われていることは言うまでもない。また、外部指示対象１１１（ｂ）の指示、付属商品庫１２からの外部商品の取り出し、現金の投入や電子マネーカード等を自動販売機１１に設置された図示しない読み取り機へかざす行為等のユーザの行為の順序は問わない。また、外部商品の購入の処理は、スマートフォン等のアプリ決済、クレカ、デビットカード、ＱＲコード（登録商標）を用いた決済、自席で決済してから、自動販売機１１の前に行きタッチすると購入できる構成等により実現されても良い。
【００５０】
指示受付部１１２は、指示対象１１１に対する指示を受け付ける。指示受付部１１２は、通常、ユーザの購入対象の商品を識別する商品識別子を取得する。商品識別子は、内部商品識別子または外部商品識別子である。内部商品識別子は、内部商品の識別子である。外部商品識別子は、外部商品の識別子である。商品識別子は、例えば、ＩＤ、名前等である。
指示受付部１１２は、２以上の商品識別子を取得しても良い。かかる２以上の商品識別子は、内部商品識別子と外部商品識別子とを含んでいても良い。かかる場合、２以上の商品識別子に対応する２以上の商品の販売のための決済処理が一度に行われても良い。また、指示受付部１１２が内部商品識別子と外部商品識別子とを含む２以上の商品識別子を取得した場合、割引のための処理が行われても良い。割引のための処理とは、内部商品識別子で識別される内部商品の価格と外部商品識別子で識別される外部商品の価格の合計より少ない合計金額を取得する処理である。
【００５１】
指示受付部１１２は、例えば、自動販売機１１の指示対象１１１であるボタンの押下を受け付ける。
【００５２】
つまり、ここでの受け付けとは、例えば、ボタンの押下、ユーザが保持する端末からの指示の受信等であり、ユーザが購入する内部商品または外部商品の指示の方法は問わない。
【００５３】
決済部１１３は、商品の販売に対する決済に関する処理を行う。決済部１１３は、内部商品の販売に対する決済に関する内部決済処理を行う。また、決済部１１３は、外部商品の販売に対する決済に関する外部決済処理を行う。
【００５４】
内部決済部１１３１は、指示受付部１１２が受け付けた指示対象１１１に対する内部商品の販売に対する内部決済処理を行う。内部決済部１１３１は、例えば、指示受付部１１２が受け付けた指示対象１１１に対する内部商品に対する正当な決済が可能か否かを判断し、正当に決済できると判断した場合に、指示受付部１１２が受け付けた指示対象１１１に対する内部商品を自動販売機１１の中の庫内から取り出すための指示を出力する。さらに具体的には、内部決済部１１３１は、例えば、内部商品の価格に対応する現金が投入されてか否か、または内部商品の価格に対応する金額がユーザによりかざされた電子マネーカードに蓄積されているか否か、または内部商品の価格に対応する金額がユーザのキャッシュカードから引落可能か否か等を判断し、正当に決済できると判断した場合に、指示受付部１１２が受け付けた指示対象１１１に対する内部商品を自動販売機１１の中の庫内から取り出すための指示を出力する。なお、この指示を受け取った自動販売機１１の図示しない商品排出機構は、当該指示対象１１１に対する内部商品が配置された庫内から当該内部商品を排出する処理を行う。この商品排出機構の処理により、当該内部商品が自動販売機１１の図示しない庫内から排出され、自動販売機１１の商品取出口１１４（図１参照）から当該内部商品が取り出し可能となる。なお、内部決済部１１３１は、指示受付部１１２が受け付けた指示対象１１１に対する金額を自動販売機１１またはサーバ装置２または図示しない外部の装置から取得し、当該金額を用いて、正当に決済できるか否かを判断する。
【００５５】
また、内部決済部１１３１は、例えば、指示対象１１１に対する内部商品の内部商品識別子を外部の装置に送信する。なお、外部の装置は、例えば、サーバ装置２であるが、他の装置でも良い。
【００５６】
外部決済部１１３２は、指示受付部１１２が受け付けた指示対象１１１に対する外部商品の販売に対する外部決済処理を行う。外部決済部１１３２は、例えば、指示受付部１１２が受け付けた指示対象１１１に対する外部商品に対する正当な決済が可能か否かを判断し、正当に決済できると判断した場合に、指示対象１１１に対する外部商品の外部商品識別子を外部の装置に送信する。外部決済部１１３２は、例えば、外部決済部１１３２は、例えば、外部商品の価格に対応する現金が投入されてか否か、または外部商品の価格に対応する金額がユーザによりかざされた電子マネーカードに蓄積されているか否か、または外部商品の価格に対応する金額がユーザのキャッシュカードから引落可能か否か等を判断し、正当に決済できると判断した場合に、指示対象１１１に対する外部商品の外部商品識別子を外部の装置に送信する。なお、外部の装置は、例えば、サーバ装置２であるが、他の装置でも良い。なお、外部決済部１１３２は、指示受付部１１２が受け付けた指示対象１１１に対する金額を自動販売機１１またはサーバ装置２または図示しない外部の装置から取得し、当該金額を用いて、正当に決済できるか否かを判断する。
【００５７】
内部決済部１１３１と外部決済部１１３２は、共に、販売された商品の商品識別子を含む商品情報をサーバ装置２に送信することは好適である。商品情報は、例えば、商品識別子と数量を含む。商品情報は、例えば、商品識別子だけでも良い。商品情報は、例えば、販売された時刻等を含んでも良い。なお、時刻は、図示しない時計から取得された情報である。商品情報は、例えば、商品庫１または自動販売機１１または付属商品庫１２を識別する機器識別子を有する。機器識別子は、例えば、自動販売機１１に格納されている。機器識別子は、例えば、ＩＤ、商品庫１が設置されている場所のＩＤ、商品庫１が設置されている場所の住所、商品庫１が設置されている場所の企業ＩＤ、商品庫１が設置されている場所の企業名等である。
【００５８】
内部決済部１１３１は、自動販売機１１の中の内部商品を自動販売機１１から排出するための排出処理を行う。一方、外部決済部１１３２は、自動販売機１１の中の商品を自動販売機１１から排出するための排出処理を行わない。外部商品は、自動販売機１１の中に存在せず、付属商品庫１２に存在するからである。
【００５９】
サーバ装置２を構成するサーバ格納部２１は、各種の情報が格納される。各種の情報とは、例えば、１または２以上の商品情報である。
【００６０】
サーバ受信部２２は、各種の情報を受信する。サーバ受信部２２は、例えば、各種の情報を自動販売機１１から受信する。各種の情報は、例えば、商品情報である。
【００６１】
サーバ処理部２３は、各種の処理を行う。各種の処理は、例えば、サーバ受信部２２が受信した情報をサーバ格納部２１の蓄積する処理である。各種の処理は、例えば、サーバ格納部２１に格納されている商品情報に対する処理である。商品情報に対する処理は、例えば、統計処理である。統計処理は、例えば、総販売額の算出、販売利益の算出等である。
【００６２】
サーバ送信部２４は、各種の情報を外部の装置に送信する。各種の情報は、例えば、商品情報である。
【００６３】
決済部１１３、内部決済部１１３１、外部決済部１１３２、およびサーバ処理部２３は、例えば、ＭＰＵやメモリ等から実現され得る。決済部１１３等の処理手順は、通常、ソフトウェアで実現され、当該ソフトウェアはＲＯＭ等の記録媒体に記録されている。但し、ハードウェア（専用回路）で実現しても良い。
【００６４】
決済部１１３、内部決済部１１３１、外部決済部１１３２、およびサーバ送信部２４は、例えば、無線または有線の通信手段で実現される。
【００６５】
サーバ格納部２１は、不揮発性の記録媒体が好適であるが、揮発性の記録媒体でも実現可能である。
【００６６】
サーバ格納部２１に情報が記憶される過程は問わない。例えば、記録媒体を介して情報がサーバ格納部２１で記憶されるようになってもよく、通信回線等を介して送信された情報がサーバ格納部２１で記憶されるようになってもよく、あるいは、入力デバイスを介して入力された情報がサーバ格納部２１で記憶されるようになってもよい。
【００６７】
サーバ受信部２２は、通常、無線または有線の通信手段で実現されるが、放送を受信する手段で実現されても良い。
【００６８】
次に、商品販売システムＡを構成する自動販売機１１の動作例について、図５のフローチャートを用いて説明する。
【００６９】
（ステップＳ５０１）指示受付部１１２は、指示対象１１１に対する指示をユーザから受け付けたか否かを判断する。指示を受け付けた場合はステップＳ５０２に行き、指示を受け付けなかった場合はステップＳ５０１に戻る。
【００７０】
（ステップＳ５０２）決済部１１３は、指示対象１１１に対する商品識別子を取得する。
【００７１】
（ステップＳ５０３）決済部１１３は、ステップＳ５０２で取得した商品識別子と対になる金額を図示しない格納部から取得する。そして、決済部１１３は、当該金額を用いて、決済可能か否かを判断する。決済可能であればステップＳ５０４に行き、決済可能でなければエラー処理を行う。なお、本ステップにおける処理は公知技術である。なお、決済可能であると判断されるためには、例えば、自動販売機１１に当該金額以上の金額の現金が投入されていること、または正当な電子マネーカードであり、当該金額以上の金額が格納されている電子マネーカードの情報を取得していること等が必要である。
【００７２】
（ステップＳ５０４）決済部１１３は、決済処理を行う。決済処理は、例えば、ユーザが投入した現金を、自動販売機１１の中の図示しない現金庫に移動させる処理、電子マネーカードまたはキャッシュカード等を用いた決済処理である。なお、かかる決済処理は公知技術であるので、詳細な説明を省略する。
【００７３】
（ステップＳ５０５）決済部１１３は、ステップＳ５０２で取得した商品識別子が外部商品であるか否かを判断する。外部商品であればステップＳ５０７に行き、内部商品であればステップＳ５０６に行く。なお、例えば、外部商品に対応付いている外部商品識別子と対に、外部商品を特定するフラグが格納されており、決済部１１３は、ステップＳ５０２で取得した商品識別子と対に当該フラグが格納されているか否かを判断する。
【００７４】
（ステップＳ５０６）内部決済部１１３１は、ステップＳ５０２で取得した商品識別子で識別される内部商品を、自動販売機１１の図示しない庫内から排出する処理を行う。なお、かかる処理は公知技術であるので、詳細な説明を省略する。
【００７５】
（ステップＳ５０７）決済部１１３は、ステップＳ５０２で取得した商品識別子を含む商品情報を取得する。決済部１１３は、例えば、自動販売機１１の図示しない格納部に格納されている機器識別子を取得し、当該機器識別子と商品識別子を含む商品情報を構成する。
【００７６】
（ステップＳ５０８）決済部１１３は、ステップＳ５０７で取得した商品情報をサーバ装置２に送信する。ステップＳ５０１に戻る。
【００７７】
（ステップＳ５０９）決済部１１３は、エラー処理を行う。ステップＳ５０１に戻る。なお、エラー処理は、例えば、エラーメッセージを出力する処理、自動販売機１１の図示しない現金排出口に投入された現金を排出する処理等である。なお、エラーメッセージは、例えば、自動販売機１１の図示しない格納部に格納されている。
【００７８】
なお、図５のフローチャートにおいて、電源オフや処理終了の割り込みにより処理は終了する。
【００７９】
次に、サーバ装置２の動作について説明する。サーバ装置２のサーバ受信部２２は、商品情報を自動販売機１１から受信する。次に、サーバ処理部２３は、受信された商品情報をサーバ格納部２１に蓄積する。また、サーバ処理部２３は、例えば、機器識別子ごとに、当該機器識別子を含むサーバ格納部２１に格納されている１または２以上の商品情報に対して、予め決められた統計処理を行い、統計処理結果を取得する。次に、サーバ送信部２４は、当該統計処理結果を図示しない装置に送信する。
【００８０】
以下、本実施の形態における商品販売システムＡの具体的な動作について、図４、図６を用いて説明する。
【００８１】
本具体例において、内部商品は飲料である。また、外部商品は、パン、スナック、カップ麺等の食品である。
【００８２】
ユーザは、付属商品庫１２の複数種類の外部商品の中からカップ麺を選び、付属商品庫１２からカップ麺を取り出した、とする（図６（１）参照）。次に、ユーザは、自動販売機１１のカップ麺に対応する指示対象１１１（ｃ）を押下した、とする（図６（２）参照）。次に、ユーザは、現金を投入するまたは電子マネーカードやクレジットカード等のカードを自動販売機１１にかざし、支払いのための動作を行った、とする。（図６（３）参照）。
【００８３】
上記のユーザの行動に対して、自動販売機１１の指示受付部１１２は、指示対象１１１（ｃ）に対する指示を受け付ける。次に、決済部１１３は、指示対象１１１（ｃ）に対する商品識別子（例えば、「カップ麺Ａ」）を図示しない格納部から取得する。次に、決済部１１３は、取得した商品識別子と対になる金額（例えば、「１８０円」）を図示しない格納部から取得する。そして、決済部１１３は、当該金額「１８０円」を用いて、決済可能である（例えば、ユーザが１８０円以上の現金を投入している）と判断する。次に、決済部１１３は、上述した決済処理を行う。
【００８４】
次に、決済部１１３は、取得した商品識別子「カップ麺Ａ」が外部商品である、と判断する。なお、取得した商品識別子が外部商品であるとの判断は、外部商品に対応する指示対象１１１が指示された、との判断も含む、とする。
【００８５】
次に、決済部１１３は、自動販売機１１の図示しない格納部に格納されている機器識別子「Ｍ１」を取得し、当該機器識別子「Ｍ１」と商品識別子「カップ麺Ａ」とを含む商品情報（例えば、「Ｍ１，カップ麺Ａ，１個」）を構成する。なお、数量の「１個」はデフォルトの値であり、例えば、予め図示しない格納部に格納されている。なお、デフォルトの値は「１」ではなく、「２」等でも良いことは言うまでもない。
【００８６】
次に、決済部１１３は、ステップＳ５０７で取得した商品情報をサーバ装置２に送信する。
【００８７】
次に、サーバ装置２のサーバ受信部２２は、商品情報「Ｍ１，カップ麺Ａ，１個」を自動販売機１１から受信する。次に、サーバ処理部２３は、受信された商品情報をサーバ格納部２１に蓄積する。
【００８８】
なお、サーバ処理部２３は、例えば、機器識別子ごとに、当該機器識別子を含むサーバ格納部２１に格納されている１または２以上の商品情報に対して、予め決められた統計処理を行い、統計処理結果を取得する。そして、例えば、サーバ送信部２４は、当該統計処理結果を図示しない装置に送信する。
【００８９】
次に、ユーザは、「カップ麺Ａ」に合うと考える飲料を購入するために、当該飲料に対応する指示対象１１１（ａ）を押下した、とする。次に、ユーザは、現金を投入するまたは電子マネーカードやクレジットカード等のカードを自動販売機１１にかざし、支払いのための動作を行った、とする。
【００９０】
上記のユーザの行動に対して、自動販売機１１は、指示対象１１１（ａ）に対応する飲料を自動販売機１１から排出する。
【００９１】
以上の具体例では、自動販売機１１の中の飲料と、付属商品庫１２に配置された軽食（例えば、カップ麺、パン等）をセットで容易に無人で販売できる。
【００９２】
以上、本実施の形態によれば、自動販売機１１の中の商品に加えて、当該自動販売機１１とは異なる付属商品庫１２の中の商品を無人で販売できる商品庫を提供できる。
【００９３】
また、本実施の形態によれば、自動販売機１１の中の商品と付属商品庫１２の中の商品の両方を同様の決済処理により決済ができる。
【００９４】
また、本実施の形態によれば、ユーザは、自動販売機１１の中の商品と付属商品庫１２の中の商品の両方を、自動販売機１１の指示対象に対する指示により購入できる。
【００９５】
また、本実施の形態によれば、外部商品を配置でき、自動販売機１１と共に使用される付属商品庫１２を提供できる。
【００９６】
また、本実施の形態によれば、商品庫１を導入する組織（例えば、企業）において、自動販売機１１の電気代等の負担は必要であるが、全体的に費用負担が小さい。
【００９７】
また、本実施の形態によれば、内部商品の販売により得られた現金のみならず、外部商品の販売により得られた現金も自動販売機１１の中に納められるので、現金の盗難リスクが小さい。
【００９８】
さらに、本実施の形態によれば、自動販売機１１への内部商品の補充と同じタイミングで同じ者が付属商品庫１２の中の外部商品を補充することが可能であり、商品補充コストが膨らまない。
【００９９】
なお、本実施の形態における自動販売機１１等の処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における自動販売機１１を実現するソフトウェアは、以下のようなプログラムである。つまり、このプログラムは、コンピュータを、内部商品に対応する１以上の指示対象および外部商品に対応する１以上の指示対象に対する指示を受け付ける指示受付部と、前記指示受付部が受け付けた指示対象に対する内部商品の販売に対する内部決済処理を行う内部決済部と、前記指示受付部が受け付けた指示対象に対する外部商品の販売に対する外部決済処理を行う外部決済部として機能させるためのプログラムである。
【０１００】
（実施の形態２）
本実施の形態と実施の形態１との違いは、外部商品の販売に対する決済処理は、決済端末が行う点である。また、本実施の形態と実施の形態１との違いは、自動販売機が、外部商品の購入のための指示対象を有さなくても良い点である。
【０１０１】
本実施の形態において、自動販売機と付属商品庫と決済端末とを含む商品販売システムについて説明する。決済端末は、自動販売機に設置されている決済端末であり、自動販売機内の商品以外の商品である外部商品の決済が可能な端末である。
【０１０２】
本実施の形態において、購入された商品に関する商品情報を送信する手段を具備する決済端末を含む商品販売システムについて説明する。
【０１０３】
本実施の形態において、自動販売機の中の商品である内部商品と、外部商品とで、送信先が異なる決済端末を含む商品販売システムについて説明する。
【０１０４】
本実施の形態において、自動販売機の内部商品、外部商品の各々に対応付けて送信先の情報が管理されている決済端末を含む商品販売システムについて説明する。
【０１０５】
図７は、本実施の形態における商品販売システムＢの概念図である。商品販売システムＢは、１または２以上の商品庫３、および１または２以上のサーバ装置２を備える。商品庫３は、自動販売機３１、付属商品庫１２、および決済端末３３を備える。
【０１０６】
図８は、本実施の形態における商品販売システムＢのブロック図である。商品販売システムＢを構成する商品庫３を構成する自動販売機３１は、指示対象１１１、指示受付部１１２、および決済部３１３を備える。なお、自動販売機３１は、自動販売機１１と同じでも良い。また、決済部３１３は、内部決済部１１３１を備える。
【０１０７】
決済端末３３は、送信先識別子格納部３３１、および決済部３３２を備える。決済部３３２は、商品識別子受付手段３３２１、および決済処理手段３３２２を備える。
【０１０８】
自動販売機３１は、例えば、公知の自動販売機である。自動販売機３１は、例えば、現金の投入と指示対象１１１に対する指示の受け付けに応じて、指示対象１１１に対応する内部商品を自動販売機３１の中の庫内から排出する。自動販売機３１は、例えば、電子マネーカードとの通信と指示対象１１１に対する指示の受け付けに応じて、指示対象１１１に対応する内部商品を自動販売機３１の中の庫内から排出する。
【０１０９】
決済端末３３を構成する送信先識別子格納部３３１は、商品識別子に対応する送信先識別子を格納する。送信先識別子は、商品情報等の情報の送信先を特定する情報である。送信先識別子は、例えば、送信先のサーバ装置のＩＰアドレス、メールアドレス、電話番号等である。送信先識別子格納部３３１は、例えば、外部商品識別子または内部商品識別子に対応する送信先識別子を格納する。一の送信先識別子に対応付商品識別子は、一つでも良いが、２以上でも良い。ここで、対応とは、直接的な対応でも良いし、間接的な対応でも良い。
【０１１０】
決済部３３２は、外部商品を識別する外部商品識別子を受け付け、当該外部商品識別子に対応する外部商品の決済のための決済処理を行う。
【０１１１】
商品識別子受付手段３３２１は、外部商品識別子を受け付ける。外部商品識別子の受付方法は問わない。商品識別子受付手段３３２１は、外部商品に表出しているコードを読み取るコードリーダーで実現されても良い。商品識別子受付手段３３２１は、外部商品識別子を受信する受信モジュールで構成されても良い。なお、外部商品識別子は、商品庫３が具備する自動販売機３１の中に保管されている内部商品以外の商品である外部商品を識別する情報である。また、コードは、例えば、二次元コードである。コードは、例えば、ＱＲコード（登録商標）、バーコード等である。ただし、コードは、何でも良く、問わないことは言うまでもない。
【０１１２】
商品識別子受付手段３３２１は、外部商品識別子を含む外部商品情報を受け付けても良い。外部商品情報は、例えば、販売された数量を含む。外部商品情報は、例えば、機器識別子を含む。外部商品情報は、外部商品識別子のみでも良い。
【０１１３】
商品識別子受付手段３３２１は、内部商品を識別する内部商品識別子を含む内部商品情報をも受け付けても良い。商品識別子受付手段３３２１は、例えば、指示された指示対象１１１に対応する商品識別子を自動販売機３１から取得する。
【０１１４】
決済処理手段３３２２は、外部商品識別子受付手段３３２１が受け付けた外部商品識別子に対応する外部商品の決済のための決済処理を行う。決済処理は、決済に関連する処理であれば何でも良い。決済処理は、例えば、販売された商品識別子の送信、サーバ装置２または図示しない決済サーバへの金額やユーザ識別子等の送信、電子マネーカードへの減額の情報の書き込み、購入金額の分を引き落とすためのサーバ装置２または図示しない決済サーバへの購入金額と電子マネーカードのＩＤとの送信等である。なお、ユーザ識別子は、例えば、自動販売機１１に設置された図示しない読み取り機が電子マネーカードやクレジットカードから取得した識別子である。
【０１１５】
決済処理手段３３２２は、例えば、外部商品情報を送信する。決済処理手段３３２２は、例えば、外部商品情報を、購入金額の分を引き落とすための決済サーバに送信する。
【０１１６】
決済処理手段３３２２は、部商品識別子受付手段３３２１が受け付けた内部商品情報をも送信しても良い。つまり、決済端末３３が内部商品の販売の決済処理を行っても良い。
【０１１７】
決済処理手段３３２２は、販売された商品の外部商品識別子または内部商品識別子に対応する送信先識別子を送信先識別子格納部３３１から取得し、当該送信先識別子により特定される送信先に、外部商品情報または内部商品情報を送信する。
【０１１８】
送信先識別子格納部３３１は、不揮発性の記録媒体が好適であるが、揮発性の記録媒体でも実現可能である。
【０１１９】
送信先識別子格納部３３１に情報が記憶される過程は問わない。例えば、記録媒体を介して情報が送信先識別子格納部３３１で記憶されるようになってもよく、通信回線等を介して送信された情報が送信先識別子格納部３３１で記憶されるようになってもよく、あるいは、入力デバイスを介して入力された情報が送信先識別子格納部３３１で記憶されるようになってもよい。
【０１２０】
決済部３１３、および決済処理手段３３２２は、通常、ＭＰＵやメモリ等から実現され得る。決済部３１３等の処理手順は、通常、ソフトウェアで実現され、当該ソフトウェアはＲＯＭ等の記録媒体に記録されている。但し、ハードウェア（専用回路）で実現しても良い。
【０１２１】
決済部３１３、および決済処理手段３３２２は、通信手段により実現されても良い。
【０１２２】
商品識別子受付手段３３２１は、例えば、コードリーダー、通信手段等により実現される。
【０１２３】
次に、商品販売システムＢを構成する決済端末３３の動作例について、図９のフローチャートを用いて説明する。
【０１２４】
（ステップＳ９０１）商品識別子受付手段３３２１は、商品識別子を受け付けたか否かを判断する。商品識別子を受け付けた場合はステップＳ９０２に行き、商品識別子を受け付けなかった場合はステップＳ９１１に行く。
【０１２５】
（ステップＳ９０２）決済処理手段３３２２は、ステップＳ９０１で受け付けられた商品識別子を取得する。
【０１２６】
（ステップＳ９０３）決済処理手段３３２２は、ステップＳ９０２で取得した商品識別子と対になる金額を図示しない格納部から取得する。そして、決済部１１３は、当該金額を用いて、決済可能か否かを判断する。決済可能であればステップＳ９０４に行き、決済可能でなければステップＳ９０９に行く。なお、決済処理手段３３２２は、例えば、ステップＳ９１２で一時蓄積されたカードの情報（例えば、電子マネーカードの中の蓄積されている金額）を用いて、決済可能か否かを判断する。
【０１２７】
（ステップＳ９０４）決済処理手段３３２２は、ステップＳ９０２で取得した商品識別子が外部商品であるか否かを判断する。外部商品であればステップＳ９０６に行き、内部商品であればステップＳ９０５に行く。なお、決済処理手段３３２２は、例えば、ステップＳ９０２で取得した商品識別子または指示された指示対象１１１に対応付いている外部商品を示すフラグが存在するか否かにより、外部商品であるか否かを判断する。その他、ここでの判断処理のアルゴリズムは問わない。
【０１２８】
（ステップＳ９０５）決済処理手段３３２２は、ステップＳ９０２で取得した商品識別子で識別される内部商品を、自動販売機３１の図示しない庫内から排出するように、自動販売機３１に指示する。なお、かかる自動販売機３１への指示により、当該内部商品が自動販売機３１の庫内から排出される。
【０１２９】
（ステップＳ９０６）決済処理手段３３２２は、決済処理を行う。決済処理は、例えば、ユーザが投入した現金を、自動販売機１１の中の図示しない現金庫に移動させる処理、電子マネーカードまたはキャッシュカード等を用いた決済処理である。なお、かかる決済処理は公知技術である。
【０１３０】
（ステップＳ９０７）決済処理手段３３２２は、ステップＳ９０２で取得した商品識別子を含む商品情報を取得する。決済処理手段３３２２は、例えば、決済端末３３の図示しない格納部に格納されている機器識別子を取得し、当該機器識別子と商品識別子を含む商品情報を構成する。
【０１３１】
（ステップＳ９０８）決済処理手段３３２２は、商品識別子に対応する送信先識別子を送信先識別子格納部３３１から取得する。そして、決済処理手段３３２２は、ステップＳ９０７で取得した商品情報を、当該送信先識別子で識別されるサーバ装置２に送信する。ステップＳ９０１に戻る。
【０１３２】
（ステップＳ９０９）決済処理手段３３２２は、タイムアウトか否かを判断する。タイムアウトであればステップＳ９１０に行き、タイムアウトでなければステップＳ９０３に戻る。
【０１３３】
（ステップＳ９１０）決済処理手段３３２２は、エラー処理を行う。ステップＳ９０１に戻る。なお、エラー処理は、例えば、エラーメッセージを出力する処理、自動販売機３１の図示しない現金排出口に投入された現金を排出する処理等である。
【０１３４】
（ステップＳ９１１）決済端末３３は、カード（例えば、電子マネーカード、クレジットカード）の情報を取得したか否かを判断する。情報を取得した場合はステップＳ９１２に行き、情報を取得しなかった場合はステップＳ９０１に戻る。
【０１３５】
（ステップＳ９１２）決済端末３３は、ステップＳ９１１で取得したカードの情報を、決済端末３３の図示しない格納部に一時蓄積する。ステップＳ９０１に戻る。
【０１３６】
なお、図９のフローチャートにおいて、電源オフや処理終了の割り込みにより処理は終了する。
【０１３７】
以下、本実施の形態における商品販売システムＢの具体的な動作について、図１０、図１１を用いて説明する。
【０１３８】
図１０、図１１は、商品庫３の例である。商品庫３の自動販売機３１は、ここでは、飲料の自動販売機である。また、付属商品庫１２には、スナック菓子、カップ麺等の複数の種類の外部商品が配置されている。
【０１３９】
今、ユーザは、付属商品庫１２の複数種類の外部商品の中からカップ麺を選び、付属商品庫１２からカップ麺を取り出した、とする。次に、ユーザは、決済端末３３の所定の領域（ここでは、例えば、液晶画面）をタッチする（図１２のステップ１）。すると、決済端末３３の動作が開始し得る状態となる。
【０１４０】
次に、ユーザは、当該カップ麺の表面に印刷されたコード（ここでは、バーコード）を決済端末３３に含まれるリーダーに近づけ、リーダーにコードを読み込ませる（図１２のステップ２）。すると、決済端末３３の商品識別子受付手段３３２１は、コードを読み取り、当該コードに対応する商品識別子を取得する。そして、決済端末３３は、図示しない格納部に格納している決済方法選択画面を出力する。
【０１４１】
次に、ユーザは決済方法を選択する（図１２のステップ３）。ここで、例えば、ユーザはメニュー項目「交通」を指示した、とする。
【０１４２】
次に、ユーザは、交通電子マネーカードを決済端末３３に読み込ませる。次に、決済処理手段３３２２は、取得された商品識別子と対になる金額を図示しない格納部から取得する。
【０１４３】
次に、ユーザは、電子マネーカードを自動販売機１１にかざし、支払いのための動作を行った、とする。次に、決済部１１３は、当該金額を用いて、決済可能である、と判断した、とする。そして、決済処理手段３３２２は、決済処理を行う。決済処理は、例えば、電子マネーカードを用いた公知の決済処理である。
【０１４４】
次に、決済処理手段３３２２は、ステップＳ９０２で取得した商品識別子が外部商品である、と判断する。
【０１４５】
次に、決済処理手段３３２２は、取得した商品識別子を含む商品情報を取得する。決済処理手段３３２２は、例えば、決済端末３３の図示しない格納部に格納されている機器識別子を取得し、当該機器識別子と商品識別子を含む商品情報を構成する。次に、決済処理手段３３２２は、当該商品情報をサーバ装置２に送信する。
【０１４６】
次に、サーバ装置２のサーバ受信部２２は、商品情報を決済端末３３から受信する。次に、サーバ処理部２３は、受信された商品情報をサーバ格納部２１に蓄積する。
【０１４７】
なお、サーバ処理部２３は、例えば、機器識別子ごとに、当該機器識別子を含むサーバ格納部２１に格納されている１または２以上の商品情報に対して、予め決められた統計処理を行い、統計処理結果を取得する。そして、例えば、サーバ送信部２４は、当該統計処理結果を図示しない装置に送信する。
【０１４８】
次に、ユーザは、購入したカップ麺に合うと考える飲料を購入するために、当該飲料に対応する指示対象１１１（ａ）を押下した、とする。次に、ユーザは、現金を投入するまたは電子マネーカードやクレジットカード等のカードを自動販売機１１にかざし、支払いのための動作を行った、とする。
【０１４９】
以上の具体例では、自動販売機３１の中の飲料と、付属商品庫１２に配置された軽食（例えば、カップ麺、パン等）をセットで容易に無人で販売できる商品庫を提供できる。
【０１５０】
以上、本実施の形態によれば、自動販売機３１の中の商品に加えて、当該自動販売機３１とは異なる付属商品庫１２の中の商品を無人で販売できる商品庫を提供できる。
【０１５１】
また、本実施の形態によれば、自動販売機３１の中の商品と付属商品庫１２の中の商品とを、各々異なる決済処理により決済ができる。
【０１５２】
また、本実施の形態によれば、外部商品に対する決済処理を行う決済端末を提供できる。また、決済端末により、外部商品を自動販売機３１に扱わせる必要はなく、自動販売機３１の改良、変更が少なくて済む。
【０１５３】
また、本実施の形態によれば、外部商品の販売に関する情報を送信できる。
【０１５４】
また、本実施の形態によれば、販売された商品が内部商品である場合と外部商品である場合とで、異なる送信先に販売に関する情報を通知できる。
【０１５５】
また、本実施の形態によれば、販売された商品に応じて異なる送信先に販売に関する情報を通知できる。
【０１５６】
さらに、本実施の形態によれば、外部商品を配置でき、自動販売機と対に使用される付属商品庫を提供できる。
【０１５７】
なお、本実施の形態における決済端末３３を実現するソフトウェアは、以下のようなプログラムである。つまり、このプログラムは、コンピュータを、商品庫が具備する自動販売機の中に保管されている内部商品以外の商品である外部商品を識別する外部商品識別子を受け付ける商品識別子受付手段と、前記外部商品識別子受付手段が受け付けた外部商品識別子に対応する外部商品の決済のための決済処理を行う決済処理手段として機能させるためのプログラムである。
【０１５８】
また、図１３は、本明細書で述べたプログラムを実行して、上述した種々の実施の形態の自動販売機、サーバ装置、決済端末を実現するコンピュータの外観を示す。上述の実施の形態は、コンピュータハードウェア及びその上で実行されるコンピュータプログラムで実現され得る。図１３は、このコンピュータシステム３００の概観図であり、図１４は、システム３００のブロック図である。
【０１５９】
図１３において、コンピュータシステム３００は、ＣＤ−ＲＯＭドライブを含むコンピュータ３０１と、キーボード３０２と、マウス３０３と、モニタ３０４とを含む。
【０１６０】
図１４において、コンピュータ３０１は、ＣＤ−ＲＯＭドライブ３０１２に加えて、ＭＰＵ３０１３と、ＣＤ−ＲＯＭドライブ３０１２等に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０１６１】
コンピュータシステム３００に、上述した実施の形態の自動販売機等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１６２】
プログラムは、コンピュータ３０１に、上述した実施の形態の自動販売機等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０１６３】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１６４】
また、上記プログラムを実行するコンピュータは、単数であってもよく、複数であってもよい。すなわち、集中処理を行ってもよく、あるいは分散処理を行ってもよい。
【０１６５】
また、上記各実施の形態において、一の装置に存在する２以上の通信手段は、物理的に一の媒体で実現されても良いことは言うまでもない。
【０１６６】
また、上記各実施の形態において、各処理は、単一の装置によって集中処理されることによって実現されてもよく、あるいは、複数の装置によって分散処理されることによって実現されてもよい。
【０１６７】
本発明は、以上の実施の形態に限定されることなく、種々の変更が可能であり、それらも本発明の範囲内に包含されるものであることは言うまでもない。
【産業上の利用可能性】
【０１６８】
以上のように、本発明にかかる商品庫は、自動販売機の中の商品に加えて、当該自動販売機とは異なる商品庫である付属商品庫の中の商品を無人で販売できる商品庫を提供できるという効果を有し、企業に設置する商品庫として有用である。
【符号の説明】
【０１６９】
１、３  商品庫
２  サーバ装置
１１、３１  自動販売機
１２  付属商品庫
２１  サーバ格納部
２２  サーバ受信部
２３  サーバ処理部
２４  サーバ送信部
３３  決済端末
１１１  指示対象
１１２  指示受付部
１１３、３１３、３３２  決済部
１１４  商品取出口
３３１  送信先識別子格納部
１１３１  内部決済部
１１３２  外部決済部
３３２１  外部商品識別子受付手段
３３２１  部商品識別子受付手段
３３２１  商品識別子受付手段
３３２２  決済処理手段
【要約】
【課題】従来、自動販売機の中の商品に加えて、当該自動販売機とは異なる商品庫である付属商品庫の中の商品を無人で販売できる商品庫が存在しなかった。
【解決手段】商品である１以上の内部商品を販売する自動販売機と、１以上の内部商品とは異なる商品である１以上の外部商品を少なくとも保管する付属商品庫と、内部商品の販売に対する決済に関する内部決済処理を行い、かつ外部商品の販売に対する決済に関する外部決済処理を行う決済部とを具備する商品庫により、自動販売機の中の商品に加えて、当該自動販売機とは異なる商品庫である付属商品庫の中の商品を無人で販売できる商品庫を提供できる。
【選択図】図２【図１】
0006831893.tif 000002
【図２】
0006831893.tif 000003
【図３】
0006831893.tif 000004
【図４】
0006831893.tif 000005
【図５】
0006831893.tif 000006
【図６】
0006831893.tif 000007
【図７】
0006831893.tif 000008
【図８】
0006831893.tif 000009
【図９】
0006831893.tif 000010
【図１０】
0006831893.tif 000011
【図１１】
0006831893.tif 000012
【図１２】
0006831893.tif 000013
【図１３】
0006831893.tif 000014
【図１４】
0006831893.tif 000015